(57)【要約】【課題】スラブ貫通孔に設置する止水蓋の構造を提供する。【解決手段】スラブ貫通孔に設置するための止水蓋の構造であって、上板及び下板と、該上板及び下板の間隔を調整する１又は２以上の取付調整部材と、上板ガイド及び下板ガイドと、上板と下板に固定された伸縮可能な材料で形成された固定化部材とを有し、上記取付調整部材は、該取付調整部材を調整することにより上記下板が上板ガイドの内側又は外側をスライドして上昇し、上板と下板の間隔が狭まる機構を有し、上記下板が上昇する際に、上記固定化部材の伸縮可能の材料は上下の圧力によりその中央部分が外側へ押し出されてスラブ貫通孔の壁面に密着し、固定されることを特徴とする止水蓋の構造。【選択図】図２
2013163925.tif 000002
【特許請求の範囲】
【請求項１】
スラブ貫通孔に設置するための止水蓋の構造であって、上板及び下板と、該上板及び下板の間隔を調整する１又は２以上の取付調整部材と、上板ガイド及び下板ガイドと、上板と下板に固定された伸縮可能な材料で形成された固定化部材とを有し、上記取付調整部材は、該取付調整部材を調整することにより上記下板が上板ガイドの内側又は外側をスライドして上昇し、上板と下板の間隔が狭まる機構を有し、上記下板が上昇する際に、上記固定化部材の伸縮可能の材料は上下の圧力によりその中央部分が外側へ押し出されてスラブ貫通孔の壁面に密着し、固定されることを特徴とする止水蓋の構造。
【請求項２】
伸縮可能な材料で形成された固定化部材が、ゴムパッキンである、請求項１に記載の止水蓋の構造。
【請求項３】
取付調整部材が、ボルトである、請求項１に記載の止水蓋の構造。
【請求項４】
上板及び下板が、スラブ貫通孔の穴径に適応する形状を有する、請求項１に記載の止水蓋の構造。
【請求項５】
取付調整ボルトが、スラブ貫通孔の穴径に応じて所定の位置に２〜８本の範囲で設置されている、請求項３に記載の止水蓋の構造。
【請求項６】
上板及び下板の間の固定化部材が、スラブ貫通孔の壁面の全部又は一部に密着し、固定されるように設置されている、請求項１に記載の止水蓋の構造。
【請求項７】
ゴムパッキンの材質が、天然ゴム、又は合成ゴムである、請求項２に記載の止水蓋の構造。
【請求項８】
上板の直径が、スラブ貫通孔の穴径を上回り、スラブ貫通孔の開口を塞ぐ蓋構造を有する、請求項１に記載の止水蓋の構造。
【請求項９】
上板及び下板が、鋼板、合金鋼、鋳物、又は樹脂の板である、請求項１に記載の止水蓋の構造。
【請求項１０】
取付調整部材の端部が、工具で取付、取外し可能な構造を有している、請求項１に記載の止水蓋の構造。
【発明の詳細な説明】
【技術分野】
【０００１】
本発明は、スラブ貫通孔に設置する止水蓋の構造に関するものであり、更に詳しくは、高層階などの建設現場で、配管を施工するまでの間に配設するスラブ貫通孔の開口に固定可能に設置するための止水蓋の構造に関するものである。本発明は、スラブ貫通孔の開口部を強固に固定することが可能な新しい止水蓋の構造及びその固定方法に関する新技術・新製品を提供するものである。
【背景技術】
【０００２】
高層階などの建設現場では、配管を施工する際に、事前に、スラブを貫通させてスラブ貫通孔を形成することが行われており、配管を施工するまでの間、スラブ貫通孔が開口した状態、すなわち穴が開いた状態となる。そのため、配管の施工までの間、上記スラブ貫通孔の開口部により足を踏み外したり、物が落下したりして危険であり、また、下層階に水漏れを起こす心配があるなど、その対策が求められていた。
【０００３】
そこで、通常の対策として、例えば、板や鉄板などでスラブ貫通孔の穴を塞ぐ方法が行われていたが、塞いだ板や鉄板などは、ずれ易く危険性が高いことから、更に、別の対策として、幾つかの先行技術が開発されている。そのような先行技術として、例えば、スラブ貫通孔の穴に差し込んで、３ヶ所など、複数のヶ所のバネ板により該スラブ貫通孔の側面に固定するホールカバーが提案されている。
【０００４】
通常、このホールカバーは、鋼板で加工されているので、強度、すなわち耐荷重や破損性については良好であり、鋼板をスラブ貫通孔に差込むだけであり、設置の条件、すなわち手間や取付け強度は比較的良好であるが、気密性、すなわち防臭や防水の効果は期待できず、また、誰でも取り外しできるため紛失の可能性がある。
【０００５】
他の先行技術として、取り付けが強固で、確実なスラブ貫通孔の養生及び落下防止が期待できるものとして、ホールカバー防水型による固定装置が開発されている。この装置では、スラブ貫通孔の側面に突っ張り棒を固定し、その固定棒より突起させたカバー取付けボルトに防水カバーを取り付け、カバー本体に取り付けたパッキンがスラブとの隙間をなくして防水が可能となる。しかし、この装置には、突っ張り棒の固定に手間がかかり、また、スラブの下方からスラブ内に配管を施工できない、という問題点がある。
【０００６】
他の先行技術として、ゴムフーセンを膨らませて閉塞させるフーセンタイプの装置が開発されている。フーセンタイプの装置は、フーセンの材質がゴムであるため、防臭、防水性が良好であり、取り付け強度はフーセン内圧力で調整できることから良好であるが、材質がゴムのため、釘、鉄板の角や、溶接の熱などにより破損の可能性がある。また、この装置には、空気注入用の高圧ポンプの携帯が必要とされ、スラブ設置面に存在する鉄筋、砕石などの突起物を取り除く必要があり、上記ホールカバーと同様に、スラブ内に配管施工できないなどの問題点がある。
【０００７】
その他、先行技術として、雄ネジ部と透孔を設けた台座と、その台座に取付けるラッパ状の成形具本体と、その成形具本体の上端に嵌着する蓋部とから構成される配管用スラブ貫通孔の成形具（特許文献１）、雄ネジ部と型枠固定部を設けた台座と、ラッパ状の成形具本体と、その成形具本体の上端に嵌着する蓋材と、抜取用工具とから構成される配管用スラブ貫通孔の成形具（特許文献２）、が提案されている。
【０００８】
更に、先行技術として、例えば、固定金具と、防水材を具備した板状の蓋材本体と、ナットで蓋材本体を締め付けるネジ部を設けた連結金具とからなるコンクリートスラブ貫通孔用蓋材（特許文献３）、建築現場において、スラブに設けた種々の大きさの貫通孔を確実に且つ簡単に塞ぐことのできるスラブ貫通孔の養生カバー（特許文献４）、コンクリートを貫通孔の蓋から剥離されるために、伸縮可能な材料で形成された剥離板を備えたスラブ貫通孔の蓋（特許文献５）、などが提案されている。
【０００９】
このように、従来、配管を施工するために配設されるスラブ貫通孔の開口を塞ぐ手段として、上述のホールカバー、ホールカバー防止型、フーセンタイプ装置や、上述の先行技術などが開発されているが、はめ込み式の蓋は、強固に固定できず容易に取れることで紛失することが多く、また、固定できたとしても取り付けにかなりの手間がかかり、フーセンタイプの装置の場合、荷重強度の不足や、破損しやすいという問題があり、当技術分野においては、上記従来技術にみられる問題がなく、しかも、強度や気密性があり、かつ取り付けや取り外しなどの設置条件が簡便で、設置が容易な新しい装置を開発することが強く要請されていた。
【先行技術文献】
【特許文献】
【００１０】
【特許文献１】特開平１０−１２１７２４号公報
【特許文献２】特開平１０−２０５１２７号公報
【特許文献３】特開平１１−１８２０３６号公報
【特許文献４】特開２００１−３１７２１２号公報
【特許文献５】特開２００７−１４６６１４号公報
【発明の概要】
【発明が解決しようとする課題】
【００１１】
このような状況の中で、本発明者らは、上記従来技術に鑑みて、上記従来技術にみられる問題がなく、しかも、強度や気密性があり、かつ取り付けや取り外しなどの設置条件が簡便で、設置が容易な新しい装置を開発することを目標として鋭意研究開発を重ねた結果、スラブ貫通孔の壁面に密着して固定されるゴムパッキンなどの伸縮可能な材料で形成された固定部材を具備した新しいタイプの止水蓋を開発することに成功し、本発明を完成するに至った。
【００１２】
本発明は、スラブ貫通孔の壁面に密着して固定されるゴムパッキンなどの伸縮可能な材料で形成された固定部材を具備した止水蓋の構造を提供することを目的とするものである。
【課題を解決するための手段】
【００１３】
上記課題を解決するための本発明は、以下の技術的手段から構成される。
（１）スラブ貫通孔に設置するための止水蓋の構造であって、上板及び下板と、該上板及び下板の間隔を調整する１又は２以上の取付調整部材と、上板ガイド及び下板ガイドと、上板と下板に固定された伸縮可能な材料で形成された固定化部材とを有し、上記取付調整部材は、該取付調整部材を調整することにより上記下板が上板ガイドの内側又は外側をスライドして上昇し、上板と下板の間隔が狭まる機構を有し、上記下板が上昇する際に、上記固定化部材の伸縮可能の材料は上下の圧力によりその中央部分が外側へ押し出されてスラブ貫通孔の壁面に密着し、固定されることを特徴とする止水蓋の構造。
（２）伸縮可能な材料で形成された固定化部材が、ゴムパッキンである、前記（１）に記載の止水蓋の構造。
（３）取付調整部材が、ボルトである、前記（１）に記載の止水蓋の構造。
（４）上板及び下板が、スラブ貫通孔の穴径に適応する形状を有する、前記（１）に記載の止水蓋の構造。
（５）取付調整ボルトが、スラブ貫通孔の穴径に応じて所定の位置に２〜８本の範囲で設置されている、前記（３）に記載の止水蓋の構造。
（６）上板及び下板の間の固定化部材が、スラブ貫通孔の壁面の全部又は一部に密着し、固定されるように設置されている、前記（１）に記載の止水蓋の構造。
（７）ゴムパッキンの材質が、天然ゴム、又は合成ゴムである、前記（２）に記載の止水蓋の構造。
（８）上板の直径が、スラブ貫通孔の穴径を上回り、スラブ貫通孔の開口を塞ぐ蓋構造を有する、前記（１）に記載の止水蓋の構造。
（９）上板及び下板が、鋼板、合金鋼、鋳物、又は樹脂の板である、前記（１）に記載の止水蓋の構造。
（１０）取付調整部材の端部が、工具で取付、取外し可能な構造を有している、前記（１）に記載の止水蓋の構造。
【００１４】
次に、本発明について更に詳細に説明する。
本発明は、スラブ貫通孔に設置する止水蓋の構造に関するものである。前記したように、例えば、高層階の建設現場では、配管を施工するために、スラブを貫通させてスラブ貫通孔を形成する工法が採られている。その場合、配管を施工するまでの間、スラブ貫通孔の穴が開いた状態となり、その開口部により足を踏み外したり、物が落下したりして危険であり、また、下層階に水漏れを起こすことにもなる。
【００１５】
従来、その対策として、板や鉄板などでスラブ貫通孔の穴を塞ぐ方法が採用されているが、ずれ易く危険であり、その対策として、ホールカバータイプのはめ込み式の蓋や、ゴム製のフーセンなどが取付けられるフーセンタイプなどが知られているが、はめ込み式の蓋は、強固に固定できず、容易に取れるので、いつの間にか紛失してしまったり、固定できても取付けに手間がかかってしまい、また、フーセンタイプの場合、荷重強度の不足や破損してしまう恐れがある。
【００１６】
以下に、代表的な既設製品の問題点について説明する。
１．ホールカバータイプ
原理は、３ヶ所など、複数ヶ所のバネ板によりスラブ貫通孔の側面に固定する方法であるが、１）固定強度がないため、誰でもが取り外しでき、紛失の可能性がある、２）気密性がないため、防水、防臭の効果がない、などの問題点がある。
【００１７】
２．ホールカバー防水型
原理は、スラブ貫通孔の側面に突っ張り棒を固定し、その固定棒より突起させたカバー取付ボルトに防水カバーを取り付ける方法があるが、１）突っ張り棒の固定に手間がかかる、２）スラブの下方からスラブ内に配管を施工できない、などの問題点がある。
【００１８】
３．フーセンタイプ
原理は、ゴムフーセンを膨らませて閉塞させる方法があるが、１）上からの圧力に対する強度不足により、落下の可能性がある、２）材質がゴムのため、釘、鉄板の角、溶接の熱などにより破損の可能性がある、３）空気注入用の高圧ポンプを携帯しなければならない、４）空気が抜けた時に、落下の可能性がある、５）スラブ設置面に突起物、例えば、鉄筋、砕石などがあると、破損の可能性があり、取除かなければ使用できない、６）ホールカバーと同じくスラブ内に配管できない、などの問題点がある。
【００１９】
そこで、本発明では、解決策として、新しいタイプの止水蓋を開発した。この止水蓋は、固定部材のボルトなどを回すことにより、中間の伸縮可能な材料で形成された固定化部材のゴムパッキンなどが膨張し、スラブ貫通孔の壁面に密着し、その密着性と摩擦により、容易に取り外しできなくなる。ゴムパッキンなどの固定化部材で密着させるので、水漏れや液もれの心配がなく、また、取付、取り外しもドライバーなどの汎用の工具で簡単に実施することができる。
【００２０】
本発明の止水蓋は、スラブ貫通孔に設置するための止水蓋の構造であって、上板及び下板と、該上板及び下板の間隔を調整する１又は２以上の取付調整部材と、上板ガイド及び下板ガイドと、上板と下板に固定された伸縮可能な材料で形成された固定化部材とを有し、上記取付調整部材を調整することにより上記下板が上板ガイドの内側又は外側をスライドして上昇し、上板と下板の間隔が狭まり、その際に、上記固定化部材の伸縮可能の材料は上下の圧力によりその中央部分が外側へ押し出されてスラブ貫通孔の壁面に密着し、固定される点に特徴を有するものである。
【００２１】
本発明では、好適には、伸縮可能な材料で形成された固定化部材として、ゴムパッキンが例示される。また、上板及び下板のうち、上板は、円盤形状に制限されるものではなく、任意の形状及び構造に設計することができる。また、好適には、取付調整部材として、ボルトが例示されるが、取付調整ボルトの位置及びその数は特に制限されるものではなく、これらは、スラブの大きさ、形状及び構造に応じて任意に設計することができる。
【００２２】
本発明では、上板及び下板のうち、特に、下板は、スラブ貫通孔の穴径に適応する形状を有する。また、上記ゴムパッキンの形状及び構造は特に制限されるものではなく、該ゴムパッキンが、スラブ貫通孔の壁面に密着し、固定されるものであれば、適宜の形状及び構造に設計することができる。ここで、ゴムパッキンが接触することができるスラブ貫通孔の壁面の全部、又は一部とは、ゴムパッキンの膨張の程度に合わせて該ゴムパッキンが接触するスラブ貫通孔の壁面の部分の全部又は一部を意味している。
【００２３】
本発明では、好適には、上記取付調整ボルトは、スラブ貫通孔の穴径に応じて所定の位置に２〜８本の範囲で配設されるが、ボルトに限らず、それと同様の機能を有する手段であれば同様に使用することができる。そのような手段として、例えば、上板に内ネジ（雌ネジ）のガイド、下板に外ネジ（雄ネジ）のガイドをもつ構造で回すと上下にスライドする方法が例示される。また、ゴムパッキンの材質は、天然ゴム、又は合成ゴムであるが、これらと同効の材料で同様の機能を有するものであれば、同様に使用することができる。
【００２４】
本発明では、上板及び下板の間の固定化部材が、スラブ貫通孔の壁面の全部又は一部に密着し、固定されるように設置されているが、上板の形状及び構造、及びその蓋構造は特に制限されるものではなく、その作製に際して任意に設計することができる。また、上板の直径が、スラブ貫通孔の穴径を上回り、スラブ貫通孔の開口を塞ぐ蓋構造を有するが、その場合、取付調整ボルトの末端の形状及び構造は特に制限されるものではなく適宜の形態に設計することができる。
【００２５】
本発明の止水蓋の動作、すなわち止水蓋の固定方法について、取付調整ボルトを例に説明すると、まず、スラブ貫通孔の穴径に適応する止水蓋を貫通孔に差込み、上板にセットしてある取付調整ボルト（穴径により２本〜３本程度）を締め込む。取付調整ボルトを締め込むことにより、下板が上昇する。上板ガイドの内側を下板ガイドがスライドして上がり、上板と下板の間隔が狭まる。その時、ゴムパッキンは上下の圧力により中央部分が外側へ押し出される。押し出されたゴムパッキンは、スラブ壁面に密着し、固定される。
【発明の効果】
【００２６】
本発明は、以下のような効果を奏するものである。
（１）従来製品にみられるような問題がなく、強度が高く、気密性があり、設置が簡単で、スラブ内の配管施工に障害がない優れた止水蓋を提供することができる。
（２）開口部を強固に固定でき、紛失しにくくなる。
（３）ゴムが密着しているので、床にこぼれた水などの液体が、下の階に漏れない。
（４）何度でも取付・取り外しが可能である。
（５）止水蓋を取付けた状態で、スラブ内に配管を設置することができる。
（６）固定化部材の締付けボルトなどの調整により、スラブ貫通孔の穴径に誤差が生じても対応可能である。
（７）床面より２〜３ｍｍ程度の突起で収まるので、歩行時作業者がつまづいたり、台車などが通行できないなどの可能性が低い。
（８）スラブ貫通孔だけでなく、円形の開口部、例えば、配管、ダクト、マンホールなどに設置することが可能である。
【図面の簡単な説明】
【００２７】
【図１】本発明の止水蓋の構造と、その設置取付に関する説明図である。
【図２】本発明の止水蓋の組立工程の一例を示す説明図である。
【発明を実施するための形態】
【００２８】
次に、本発明の止水蓋の実施例について具体的に説明するが、本発明は、以下の実施例によって何ら限定されるものではない。
【実施例】
【００２９】
本実施例で作製した止水蓋及び該止水蓋の組立に関する説明図を図１〜２に示した。図１は、本発明の止水蓋をスラブ貫通孔の開口に設置した場合の設置取付図である。上段の図は、止水蓋を、スラブ貫通孔の開口部に挿入して取付調整ボルトを締め込む前の状態を示し、中段の図は、止水蓋を、スラブ貫通孔の開口部に挿入して取付調整ボルトを締め込むことにより下板を上板ガイドの内側をスライドさせて上昇させ、上板と下板の間隔が狭まり、その際に、ゴムパッキンが上下の圧力により中央部分が外側へ押し出されてスラブ壁面に密着し、固定化された状態を示している。
【００３０】
図１の下段の図は、止水蓋の詳細構造を示すものであり、止水蓋は、上板ａ及び下板ｅと、上板ガイドｂ及び下板ガイドｃと、上記上板と下板に連結されているゴムガイドｃと、上板と下板の間隔を調整するために該上板と下板に形成されたボルト穴に取付自在に挿入された取付調整ボルトから構成される。
【００３１】
上記止水蓋の詳細構造において、上板ガイドｂ及び下板ガイドｃの形状及び構造は、上板が下板に対して上昇又は下降する際にそれらのガイドになるものであれば良く、その形状及び構造並びにそれらの設置位置は任意に設計することができ、また、必要により、上板ガイド及び／又は下板ガイドを省略することも適宜可能である。
【００３２】
また、上記上板ガイド及び下板ガイド並びにゴムパッキンの取付け手段及び方法は特に制限されるものではなく、その実施に当たり任意の手段及び方法を採用することができる。上記上板及び下板のうち、特に上板については、上板本体に、例えば、発泡ゴム付きのパッキンを設置してスラブとの隙間をなくして防水の効果を向上させることが可能であり、また、それにより気密性が向上するため防臭の効果も得られる。
【００３３】
表１に、本実施例で作製した止水蓋（トスミック製）と、従来製品との比較を示した。本実施例で作製した上記止水蓋は、鋼板で加工されているので、強度が強く、耐荷重があり、破損性も良好であり、ゴムパッキンがスラブ壁面に密着し、固定されるので、気密性が高く、防水性、防臭性が良好である。設置に際しては、止水蓋をスラブ貫通孔に差込み、汎用ドライバーなどでボルトを締め込むだけで良く、その際の取付強度は、締め込み具合や程度を調整することで任意に調整可能であり、設置の手間はほとんどかからず、しかも、スラブ内までの配管施工に障害がないという従来製品にない格別の効果が期待できるものである。
【００３４】
【表１】
2013163925.tif 000003
【産業上の利用可能性】
【００３５】
以上詳述したように、本発明は、スラブ貫通孔に設置する止水蓋の構造に係るものであり、本発明により、強度が強く耐荷重性があり、破損の心配がなく、スラブ貫通孔に設置したときに気密性が高く防水及び防臭効果が期待でき、設置の手間がほとんどなく、取付強度も良好な新しい機構を有するスラブ貫通孔の開口部に設置するための止水蓋とその固定方法を提供することができる。本発明の止水蓋の構造とその固定方法は、従来製品にみられるような問題がなく、強度が高く、気密性があり、設置が簡単で、スラブ内の配管施工に障害がない優れた止水蓋に関する新技術・新製品を提供するものとして有用である。
【図１】
2013163925.tif 000004
【図２】
2013163925.tif 000005